(57)【要約】【課題】踊りに使用しながら足の指間や甲部にかかる負荷を低減する。【解決手段】履物は、先端部に足の第一趾を挿入するための第一収納部１５と第二趾ないし第五趾を挿入するための第二収納部１６とを備える足袋１０と、足袋１０の裏面を載せるための台部３１と、台部３１の上面側に配設された鼻緒４０とを備える下駄３０と、足袋１０の足裏面１１に固定されて、足袋１０を下駄３０の定位置に配置するための係合体２０とを備える。係合体２０は、足裏面１１から下方に向かって突出する係止ブロック２１を有している。下駄３０は、足裏面１１に固定された係合体２０の係止ブロック２１が脱着自在に案内される支持凹部３５が、台部３１の上面に形成されている。履物は、足袋１０が載置された台部３１を前傾姿勢とする状態で、係止ブロック２１の先端部を支持凹部３５の内面に当接させて、足袋１０にかかる荷重を係止ブロック２１と支持凹部３５とで支持する。【選択図】図３
2016036546.tif 000002
【特許請求の範囲】
【請求項１】
先端部に足の第一趾を挿入するための第一収納部と第二趾ないし第五趾を挿入するための第二収納部とを備える足袋と、
前記足袋の裏面を載せるための台部と、前記台部の上面側に配設された鼻緒とを備える下駄と、
前記足袋の足裏面に固定されて、前記足袋を前記下駄の定位置に配置するための係合体と、
を備える履物であって、
前記係合体は、前記足裏面から下方に向かって突出する係止ブロックを有しており、
前記下駄は、前記足袋の足裏面に固定された前記係合体の係止ブロックが脱着自在に案内される支持凹部が、前記台部の上面に形成されており、
前記足袋が載置された前記台部を前傾姿勢とする状態で、前記係止ブロックの先端部を前記支持凹部の内面に当接させて、前記足袋にかかる荷重を前記係止ブロックと前記支持凹部とで支持するようにしてなる履物。
【請求項２】
請求項１に記載される履物であって、
前記係合体が、面ファスナーを介して前記足袋の足裏面に着脱自在に貼付されてなることを特徴とする履物。
【請求項３】
請求項２に記載の履物であって、
前記面ファスナーは、ループ面が前記足裏面側となるよう構成されてなることを特徴とする履物。
【請求項４】
請求項１から３のいずれか一に記載される履物であって、
前記係合体は、前記係止ブロックの突出形状を、前記足裏面から突出する起立面をつま先側に有する縦断面視略三角形状または四角形状としており、
前記下駄は、前記支持凹部を前記係止ブロックに応じた縦断面視略三角形状または四角形状としてなることを特徴とする履物。
【請求項５】
請求項４に記載の履物であって、
前記足袋の足裏面を前記台部に載せて前記係止ブロックを前記支持凹部に挿入した状態で、前記係止ブロックの起立面と、前記起立面に対向する前記支持凹部の対向面との間に、上部側を広くした隙間を形成してなることを特徴とする履物。
【請求項６】
請求項１から５のいずれか一に記載される履物であって、
前記下駄は、前記鼻緒が前記第一収納部及び前記第二収納部の間の指間に挿入される前緒を備えており、前記前緒が前記台部を貫通すると共に、前記台部の裏面側において該前緒の先端に抜止部を設けており、前記台部と前記抜止部との間に弾性体を配置してなることを特徴とする履物。
【請求項７】
先端部に足の第一趾を挿入するための第一収納部と第二趾ないし第五趾を挿入するための第二収納部とを備える足袋と、
前記足袋の足裏面に固定されて、前記足袋を、下駄の台部に形成された支持凹部を介して定位置に配置するための係合体と、
を備える足袋ユニットであって、
前記係合体は、前記足裏面から下方に向かって突出する係止ブロックを有しており、
前記足袋が下駄の台部に載置される状態で、
前記足袋の足裏面に固定された前記係合体の係止ブロックが台部の支持凹部に脱着自在に案内されると共に、
前記足袋が載置された台部を前傾姿勢とする状態で、前記係止ブロックの先端部を支持凹部の内面に当接させて、前記足袋にかかる荷重を前記係止ブロックで支持するようにしてなる足袋ユニット。
【請求項８】
足袋を載置させるための台部と、前記台部の上面側に配設された鼻緒とを備える下駄と、
足袋の足裏面に固定されて、足袋を前記下駄の定位置に配置するための係合体と、
を備える下駄ユニットであって、
前記係合体は、面ファスナーを介して足袋の足裏面に着脱自在に貼付されると共に、足裏面に固定される状態で、足裏面から下方に向かって突出する係止ブロックを有しており、
前記下駄は、足袋の足裏面に固定された前記係合体の係止ブロックが脱着自在に案内される支持凹部が、前記台部の上面に形成されており、
足袋が載置された前記台部を前傾姿勢とする状態で、前記係止ブロックの先端部を前記支持凹部の内面に当接させて、足袋にかかる荷重を前記係止ブロックと前記支持凹部とで支持するようにしてなる下駄ユニット。
【請求項９】
先端部に足の第一趾を挿入するための第一収納部と第二趾ないし第五趾を挿入するための第二収納部とを備える足袋であって、
足裏面は、下駄の台部に形成された支持凹部に案内される係止ブロックを有する係合体を着脱自在に固定する面ファスナーを備えており、
前記面ファスナーは、前記足裏面側をループ面として、係合体の上面側に設けたフック面を貼付できるようにしており、
前記足裏面に前記面ファスナーを介して係合体が固定された足袋が下駄の台部に載置される状態で、前記足裏面に固定された係合体の係止ブロックが台部の支持凹部に脱着自在に案内されると共に、
足袋が載置された台部を前傾姿勢とする状態で、係止ブロックの先端部を支持凹部の内面に当接させて、足袋にかかる荷重を前記足裏面に固定された係合体の係止ブロックで支持するようにしてなる足袋。
【請求項１０】
下方に向かって突出する係止ブロックを有する係合体を足裏面に固定してなる足袋を載置するための台部と、
前記台部の上面側に配設された鼻緒と
を備える下駄であって、
前記台部は、足袋の足裏面に固定された係合体の係止ブロックが脱着自在に案内される支持凹部が上面に形成されており、
足袋が載置された前記台部を前傾姿勢とする状態で、係止ブロックの先端部を前記支持凹部の内面に当接させて、足袋にかかる荷重を前記支持凹部で支持するようにしてなる下駄。
【請求項１１】
下駄の台部に載置される足袋の足裏面に固定されて、下駄の台部に形成された支持凹部を介して足袋を台部の定位置に配置するための履物用の係合体であって、
面ファスナーを介して足袋の足裏面に着脱自在に貼付されると共に、足裏面に固定される状態で、足裏面から下方に向かって突出する係止ブロックを有しており、
前記面ファスナーは、係合体の上面側をフック面として、足裏面側に設けたループ面に貼付できるようにしており、
足袋の足裏面に前記面ファスナーを介して係合体が固定された足袋が下駄の台部に載置される状態で、足裏面に固定された係合体の前記係止ブロックが台部の支持凹部に脱着自在に案内されると共に、
足袋が載置された台部を前傾姿勢とする状態で、前記係止ブロックの先端部を支持凹部の内面に当接させて、足袋にかかる荷重を前記係止ブロックで支持するようにしてなる履物用の係合体。
【発明の詳細な説明】
【技術分野】
【０００１】
本発明は、履物、足袋ユニット、下駄ユニット、足袋、下駄、及び履物用の係合体に関し、特に阿波踊りの女踊り等に用いられる足袋と下駄において、鼻緒部分が痛くないように工夫した履物、足袋ユニット、下駄ユニット、足袋、下駄、及び履物用の係合体に関する。
【背景技術】
【０００２】
阿波踊りに代表される日本の伝統的な踊りでは、履物として足袋や下駄が使用されている。この内、例えば、阿波踊りの男踊りは地下足袋で踊り、一方、女踊りでは、足袋の上に下駄を履いた状態での踊りとなる。特に、阿波踊りの女踊りでは、下駄を前方に傾斜させた状態で踊る特有のフォームを採用している。このため、前傾姿勢となった下駄の上で足が前方に滑り落ちるのを、下駄の鼻緒で堰き止めている状態となる。さらに、阿波踊りの女踊りは、片足を上げて踊る独自のスタイルのため、この状態では、下駄の鼻緒に全体重がかかる状態となり、鼻緒と接する部分で過度に負荷がかかるという問題があった。とくに、下駄の鼻緒に体重がかかる状態では、足の第一趾と第二趾の間に鼻緒の前緒が食い込む状態となって足の指間に痛みが生じ、また、足の甲部には鼻緒の横緒が強く接する状態となってこの部分が強く押圧されて痛みが生じる。このため、長時間にわたって踊りを続けると、大きな苦痛を伴うことが常であった。
【０００３】
さらに、強い体重負荷がかかる鼻緒は、経時的に切れやすくなったり、伸びたりする結果、前傾姿勢において下駄の前方に移動する足のつま先部分が直接地面に接してしまい、足袋の先端が擦り切れて破れたり、穴が開くなどして、足袋を破損させ、さらに足を痛めることもあった。
【先行技術文献】
【特許文献】
【０００４】
【特許文献１】特開２００８−２３７８５４号公報
【特許文献２】特開２０１１−２４４８７６号公報
【特許文献３】実開平６−５７２０１号公報
【特許文献４】登録実用新案第３１０３５７１号公報
【発明の概要】
【発明が解決しようとする課題】
【０００５】
本発明は、従来のこのような問題点に鑑みてなされたものである。本発明の目的の一は、足の指間や甲部にかかる負荷を低減して踊りなどの動作に適した履物、足袋ユニット、下駄ユニット、足袋、下駄、及び履物用の係合体を提供することにある。
【課題を解決するための手段及び発明の効果】
【０００６】
上記の目的を達成するために、本発明の一の側面に係る履物によれば、先端部に足の第一趾を挿入するための第一収納部１５と第二趾ないし第五趾を挿入するための第二収納部１６とを備える足袋１０と、前記足袋１０の裏面を載せるための台部３１と、前記台部３１の上面側に配設された鼻緒４０とを備える下駄３０と、前記足袋１０の足裏面１１に固定されて、前記足袋１０を前記下駄３０の定位置に配置するための係合体２０とを備える。前記係合体２０は、前記足裏面１１から下方に向かって突出する係止ブロック２１を有している。前記下駄３０は、前記足袋１０の足裏面１１に固定された前記係合体２０の係止ブロック２１が脱着自在に案内される支持凹部３５が、前記台部３１の上面に形成されている。履物は、前記足袋１０が載置された前記台部３１を前傾姿勢とする状態で、前記係止ブロック２１の先端部を前記支持凹部３５の内面に当接させて、前記足袋１０にかかる荷重を前記係止ブロック２１と前記支持凹部３５とで支持する。
【０００７】
上記構成により、下駄を前傾させた状態で、足袋の足裏面に固定された係合体の係止ブロックを、下駄の支持凹部でもって支持できるため、ユーザーの体重が下駄の鼻緒にかかる状態を低減し、足の痛みを軽減できる利点が得られる。
【０００８】
本発明の履物は、前記係合体２０が、面ファスナー５０を介して前記足袋１０の足裏面１１に着脱自在に貼付することができる。
上記構成により、既存の足袋に対しても係合体を貼付できるので、ユーザーの常用、愛用している足袋をそのまま利用して係合体を固定して、足指への負担を軽減できるという利便性が実現される。また、この履物は、下駄を脱いだ状態で、足袋の足裏面から係合体を外すことにより、足袋をはいたままでも足裏に違和感を感じることなく歩くことができる。さらにまた、係合体を足裏面に着脱自在に連結する構造は、係合体の連結位置を最適な位置に調整できる特徴もある。
【０００９】
本発明の履物は、前記面ファスナー５０が、ループ面５１を前記足裏面１１側とするように構成することができる。
上記構成により、足裏面側にフックのような突起がないため、履き心地に違和感がなく、また足裏面が床面や異物に付着する事態も回避できる。
【００１０】
本発明の履物は、前記係合体２０が、前記係止ブロック２１の突出形状を、前記足裏面１１から突出する起立面２１Ａをつま先側に有する縦断面視略三角形状または四角形状として、前記下駄３０が、前記支持凹部３５を、前記係止ブロック２１に応じた縦断面視略三角形状または四角形状とすることができる。
なお、本明細書において、下駄３０及び係合体２０の縦断面とは、前後方向における垂直断面を意味するものとする。
上記構成により、係止ブロックの先端側の突出部を、足裏面から突出する起立面を設けた縦断面視略三角形状または四角形状として、下駄を前傾させた状態では、これに応じた形状の支持凹部でもって支持できるため、足袋にかかる荷重を係止ブロックと支持凹部の接合部で安定して支持できる。
【００１１】
本発明の履物は、前記足袋１０の足裏面１１を前記台部３１に載せて前記係止ブロック２１を前記支持凹部３５に挿入した状態で、前記係止ブロック２１の起立面２１Ａと前記起立面２１Ａに対向する前記支持凹部３５の対向面３５Ａとの間に、上部側を広くした隙間３６を形成することができる。
上記構成により、係止ブロックを支持凹部に挿入した状態で、係止ブロックの起立面と支持凹部の対向面との間にできる隙間の分だけ足先を踏み込んで踵側を持ち上げることができ、ユーザーが踊りの際につま先立ち動作をスムーズに行えるという利点が得られる。
【００１２】
本発明の履物は、前記下駄３０が、前記鼻緒４０に、前記第一収納部１５及び前記第二収納部１６の間の指間１７に挿入される前緒４１を備え、前記前緒４１が前記台部３１を貫通すると共に、前記台部３１の裏面側において該前緒４１の先端に抜止部４４を設けて、前記台部３１と前記抜止部４４との間に弾性体４８を配置することができる。
上記構成により、鼻緒に負荷がかかる際、前緒の先端に設けた抜止部と台部との間の弾性体を弾性変形させて、鼻緒を台部の上面から離れる方向に伸縮させることができる。このため、ユーザーの足の動きに応じて鼻緒の位置を移動させて、足先に作用する負荷を軽減させることができる。これにより、長時間にわたって使用する状態においても足先にかかる負担を軽減して快適に使用できる。
【００１３】
本発明の足袋ユニットは、先端部に足の第一趾を挿入するための第一収納部１５と第二趾ないし第五趾を挿入するための第二収納部１６とを備える足袋１０と、前記足袋１０の足裏面１１に固定されて、前記足袋１０を、下駄３０の台部３１に形成された支持凹部３５を介して定位置に配置するための係合体２０とを備える。前記係合体２０は、前記足裏面１１から下方に向かって突出する係止ブロック２１を有している。足袋ユニットは、前記足袋１０が下駄３０の台部３１に載置される状態で、前記足袋１０の足裏面１１に固定された前記係合体２０の係止ブロック２１が台部３１の支持凹部３５に脱着自在に案内されると共に、前記足袋１０が載置された台部３１を前傾姿勢とする状態で、前記係止ブロック２１の先端部を支持凹部３５の内面に当接させて、前記足袋１０にかかる荷重を前記係止ブロック２１で支持するようにしている。
【００１４】
本発明の下駄ユニットは、足袋１０を載置させるための台部３１と、前記台部３１の上面側に配設された鼻緒４０とを備える下駄３０と、足袋１０の足裏面１１に固定されて、足袋１０を前記下駄３０の定位置に配置するための係合体２０とを備える。前記係合体２０は、面ファスナー５０を介して足袋１０の足裏面１１に着脱自在に貼付されると共に、足裏面１１に固定される状態で、足裏面１１から下方に向かって突出する係止ブロック２１を有している。前記下駄３０は、足袋１０の足裏面１１に固定された前記係合体２０の係止ブロック２１が脱着自在に案内される支持凹部３５が、前記台部３１の上面に形成されている。下駄ユニットは、足袋１０が載置された前記台部３１を前傾姿勢とする状態で、前記係止ブロック２１の先端部を前記支持凹部３５の内面に当接させて、足袋１０にかかる荷重を前記係止ブロック２１と前記支持凹部３５とで支持するようにしている。
【００１５】
本発明の足袋は、先端部に足の第一趾を挿入するための第一収納部１５と第二趾ないし第五趾を挿入するための第二収納部１６とを備える。足裏面１１は、下駄３０の台部３１に形成された支持凹部３５に案内される係止ブロック２１を有する係合体２０を着脱自在に固定する面ファスナー５０を備えている。前記面ファスナー５０は、前記足裏面１１側をループ面５１として、係合体２０の上面側に設けたフック面５２を貼付できるようにしている。前記足裏面１１に前記面ファスナー５０を介して係合体２０が固定された足袋１０が下駄３０の台部３１に載置される状態で、前記足裏面１１に固定された係合体２０の係止ブロック２１が台部３１の支持凹部３５に脱着自在に案内されると共に、足袋１０が載置された台部３１を前傾姿勢とする状態で、係止ブロック２１の先端部を支持凹部３５の内面に当接させて、足袋１０にかかる荷重を前記足裏面１１に固定された係合体２０の係止ブロック２１で支持するようにしている。
【００１６】
本発明の下駄は、下方に向かって突出する係止ブロック２１を有する係合体２０を足裏面１１に固定してなる足袋１０を載置するための台部３１と、前記台部３１の上面側に配設された鼻緒４０とを備える。前記台部３１は、足袋１０の足裏面１１に固定された係合体２０の係止ブロック２１が脱着自在に案内される支持凹部３５が上面に形成されており、足袋１０が載置された前記台部３１を前傾姿勢とする状態で、係止ブロック２１の先端部を前記支持凹部３５の内面に当接させて、足袋にかかる荷重を前記支持凹部３５で支持するようにしている。
【００１７】
本発明の履物用の係合体は、下駄３０の台部３１に載置される足袋１０の足裏面１１に固定されて、下駄３０の台部３１に形成された支持凹部３５を介して足袋１０を台部３１の定位置に配置する。履物用の係合体は、面ファスナー５０を介して足袋１０の足裏面１１に着脱自在に貼付されると共に、足裏面１１に固定される状態で、足裏面１１から下方に向かって突出する係止ブロック２１を有している。前記面ファスナー５０は、係合体２０の上面側をフック面５２として、足裏面１１側に設けたループ面５１に貼付できるようにしている。足袋１０の足裏面１１に前記面ファスナー５０を介して係合体２０が固定された足袋１０が下駄３０の台部３１に載置される状態で、足裏面１１に固定された係合体２０の前記係止ブロック２１が台部３１の支持凹部３５に脱着自在に案内されると共に、足袋１０が載置された台部３１を前傾姿勢とする状態で、前記係止ブロック２１の先端部を支持凹部３５の内面に当接させて、足袋にかかる荷重を前記係止ブロック２１で支持するようにしている。
【図面の簡単な説明】
【００１８】
【図１】本発明の一実施の形態に係る履物の側面図である。
【図２】図１に示す履物の平面図である。
【図３】図１に示す履物の分解斜視図である。
【図４】図３に示す履物を底面から見た分解斜視図である。
【図５】図１に示す履物の足袋の底面図である。
【図６】図４に示す足袋に係合体を固定した状態を示す一部拡大側面図である。
【図７】図１に示す履物を前傾姿勢とした状態を示す一部拡大断面図である。
【図８】足袋の他の一例を示す底面図である
【図９】図１に示す履物の下駄の平面図である。
【図１０】図９に示す下駄の底面図である。
【図１１】図７に示す履物の前傾姿勢から足先を踏み込んで踵側を持ち上げた状態を示す一部拡大断面図である。
【図１２】図１に示す下駄の前緒部分の拡大断面図である。
【図１３】係止ブロックと支持凹部の他の一例を示す拡大断面図である。
【図１４】係止ブロックと支持凹部の他の一例を示す拡大断面図である。
【発明を実施するための形態】
【００１９】
以下、本発明に係る実施形態及び実施例を、図面に基づいて説明する。ただし、以下に示す実施形態及び実施例は、本発明の技術思想を具体化するための履物、足袋ユニット、下駄ユニット、足袋、下駄、及び履物用の係合体を例示するものであって、本発明は、履物、足袋ユニット、下駄ユニット、足袋、下駄、及び履物用の係合体を以下のものに特定しない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
【００２０】
図１から図４に示す履物は、足に履かれる足袋１０と、足袋１０を履いた状態の足に履かれる下駄３０と、足袋１０の足裏面１１に固定されて、足に履かれた足袋１０を下駄３０の定位置に配置する係合体２０とを備える。
【００２１】
［足袋１０］
足袋１０は、図１〜図５に示すように、布地を縫製して袋状に形成したもので、内部に足を挿入して足に履くことができる形状としている。足袋１０は、ユーザーの足の裏に沿う形状と大きさの底地１２と、この底地１２の外周縁に沿って連結されて、つま先から踵にかけて足の外側面を被覆する外装部１３とを備える。底地１２は、厚手で丈夫な布地で構成されており、耐久性を向上すると共に、足裏を保護している。
【００２２】
外装部１３は、内面側に裏地を備えており、この裏地を丈夫で肌触りの良い布地とし、外面側を木綿等の生地として美しい外観を実現している。外装部１３は、足の内側の側面（図２と図３において左側面）を被覆する内甲部１３Ａと、足の外側の側面（図２と図３において右側面）を被覆する外甲部１３Ｂとで構成されている。内甲部１３Ａと外甲部１３Ｂは、足の前方側において、甲の左右の中心に沿って縫い合わされている。また、内甲部１３Ａと外甲部１３Ｂは、足の後方側において、アキレス腱に沿って互いの対向縁を鞐等の連結具１４を介して開閉自在に連結している。これにより、ユーザーが足袋１０を履くときには、外装部１３の後方を左右に開放して、この開放部１８から容易に足を挿入できるようにしている。
【００２３】
さらに、足袋１０は、先端部に足の第一趾を挿入する第一収納部１５と第二趾ないし第五趾を挿入する第二収納部１６とを設けている。図４と図５に示す足袋１０は、底地１２の先端部を、第一趾と第二趾との間で分割しており、第一趾に対向する第１先端部１２Ａと、第二趾ないし第五趾に対向する第２先端部１２Ｂとしている。この足袋１０は、底地１２の内側縁（図５において右側縁）と第１先端部１２Ａの外周縁に沿って内甲部１３Ａを逢着し、底地１２の外側縁（図５において左側縁）と第２先端部１２Ｂの外周縁に沿って外甲部１３Ｂを逢着して、底地１２の外周縁に沿って外装部１３を連結している。
【００２４】
以上の足袋１０は、後方の開放部１８を開いた状態で内部に足趾が挿入されて、第一収納部１５に第一趾が、第二収納部１６に第二趾ないし第五趾が挿入される。内部に足趾を挿入した状態で、内甲部１３Ａと外甲部１３Ｂの後方が連結具１４で連結され、開放部１８が閉塞されてユーザーの足に装着される。さらに、足袋１０は、ユーザーの足に装着されて下駄３０を履く状態で、第一収納部１５と第二収納部１６との間の指間１７に下駄３０の鼻緒４０の前緒４１が挿入されて、第一趾と第二趾とで前緒４１を挟着できるようにしている。
【００２５】
［係合体２０］
係合体２０は、図６に示すように、足袋１０の足裏面１１に固定されており、ユーザーの足に履かれた足袋１０を下駄３０の上面に載置した状態で、足袋１０を下駄３０の定位置に配置する。係合体２０は、図３、図４、及び図６に示すように、足裏面１１に固定された状態で、足裏面１１から下方に向かって突出する係止ブロック２１を有している。この係合体２０は、足裏面１１から突出する係止ブロック２１が、後述する下駄３０の支持凹部３５に挿入されて、足袋１０を下駄３０の定位置に案内する。さらに、図７に示すように、足袋１０を履いた足を載置した下駄３０をユーザーが前傾姿勢とする状態で、係止ブロック２１の先端部を支持凹部３５の内面に当接させて、前傾姿勢となった下駄３０の上面で足が前方に滑り落ちるのを防止する。
【００２６】
係合体２０は、足袋１０の足裏面１１に、外れないように固定される。正確には、係合体２０は、図７に示すように、下駄３０を前傾姿勢とする状態においても、ユーザーの体重や、運動の衝撃等による負荷によって、下駄３０に係止される係合体２０から足袋１０が離れて前方に滑り落ちない連結強度となるように、足裏面１１に固定される。係合体２０は、図３、図４、及び図６に示すように、好ましくは、面ファスナー５０を介して足袋１０の足裏面１１に着脱自在に連結される。この構造は、下駄３０を脱いだ状態で、足袋１０の底地１２から係合体２０を外すことができるので、足袋１０の外観を悪くすることなく、また足袋１０をはいたままで足裏に違和感を感じることなく歩くことができる。また、係合体２０を足裏面１１に着脱自在に連結する構造は、係合体２０の連結位置を最適な位置に調整できる特徴もある。ただ、係合体は、必ずしも足裏面に対して着脱自在に連結する必要はなく、接着材や溶着等により、足裏面から離れないように固定することもできる。
【００２７】
図３、図４及び図６に示す係合体２０は、足裏面１１との対向面にベースプレート２２を設けて、足裏面１１との接合面を広くしている。ベースプレート２２は、係止ブロック２１よりも面積を大きくしており、ベースプレート２２の上面全体を足袋１０の足裏面１１に固定することで、より広い面積で足裏面１１に強く固定されるようにしている。図３と図４に示すベースプレート２２は、足の前後方向に伸びる長方形状としており、その前方部の下面に係止ブロック２１を固定している。係止ブロック２１は、ベースプレート２２に対して離れることがないように、接着剤を介して、あるいは溶着により強固に固定されている。このベースプレート２２は、足裏面１１に沿って変形できる軟質のプラスチックで成形される。これにより、足裏面１１に係合体２０を固定した状態においても、足裏の変形に応じてベースプレート２２を変形させることで、違和感なくスムーズに足を動かすことができる。
【００２８】
以上のように、ベースプレート２２を備える係合体２０は、ベースプレート２２を介して足袋１０の足裏面１１に固定できるので、足袋１０と係合体２０との接合面を広くしてより強固に連結できる特徴がある。ただ、係合体は、必ずしもベースプレートを備える必要はなく、ベースプレートを省略することもできる。ベースプレートのない係合体は、係止ブロックのみで構成され、この係止ブロックが直接に足袋の足裏面に固定される。
【００２９】
係止ブロック２１は、ユーザーの体重に相当する負荷がかかった状態においても、大きく変形することなく支持できる強度を有する。係止ブロック２１には、プラスチック、木材、金属等の使用に耐えうる強度を有する材質が使用できる。ただ、係止ブロックは、足の裏面に配置されるので、硬すぎると足に違和感が生じて、ユーザーの動きを抑制する虞があると同時に、軽量であることも重要である。したがって、これ等のことを考慮して、係止ブロック２１は、好ましくは、ユーザーの体重程度の負荷では破壊されない硬度を有するプラスチック製とする。このようなプラスチックとして、例えば、ポリプロピレンが使用できる。ポリプロピレンで成形された係止ブロック２１は、外力により多少は変形させることも可能であるので、ユーザーの足の動きを必要以上に抑制することなく、ユーザーの体重に相当する負荷を確実に支持できる。また、プラスチック製の係止ブロック２１は、耐水性にも優れているので、雨や汗等による劣化を低減して長期間にわたって使用できる特徴がある。
【００３０】
図３、図４、図６、及び図７に示す係止ブロック２１は、底面形状を長方形状とすると共に、つま先側を下方に向かって突出させて縦断面視における断面形状を略三角形状としている。図の係止ブロック２１は、下方に向かって突出するつま先側の突出部の先端部を、下駄３０の支持凹部３５の内面に当接させて、ユーザーの体重を係止ブロック２１で支持するようにしている。図に示す係止ブロック２１は三角柱状で、足裏面１１から突出する方向に反り立つ起立面２１Ａをつま先側に有する形状としている。すなわち、この係止ブロック２１は、つま先側に位置する端面を起立面２１Ａとして足裏面１１から突出させている。図６の係止ブロック２１は、起立面２１Ａと上面のなす角αを９０度よりも大きくしており、起立面２１Ａをアンダーカット面としている。起立面２１Ａをアンダーカット面とする係止ブロック２１は、突出部の先端部を支持凹部３５の内面に確実に当接させて支持できる特徴がある。ただ、係止ブロック２１は、起立面２１Ａと上面のなす角αを必ずしも９０度よりも大きくして、起立面２１Ａをアンダーカット面とする必要はなく、起立面と上面のなす角αを９０度以下とすることもできる。したがって、縦断面形状を三角形状とする係止ブロック２１は、起立面２１Ａと上面のなす角αを、６０〜１４０度、好ましくは、８０〜１２０度、さらに好ましくは９０〜１１０度とする。
【００３１】
さらに、縦断面形状を三角形状とする係止ブロック２１は、図６に示すように、つま先側において突出する突出部の三角形の頂点となる角βを鋭角としている。さらに、図６の係止ブロック２１は、突出部の先端となる三角形の頂点を面取りしている。これにより、係止ブロック２１から支持凹部３５に作用する負荷を支持凹部３５の内面で確実に支持できるようにしている。
【００３２】
さらに、縦断面形状を三角形状とする係止ブロック２１は、図６に示すように、角αに対向する面を傾斜面２１Ｂとしている。この係止ブロック２１は、傾斜面２１Ｂを支持凹部３５の内面に沿って摺動させて、スムーズに定位置に案内できる特徴がある。
【００３３】
以上の係合体２０は、係止ブロック２１を縦断面形状が三角形となる三角柱状とするが、係止ブロックは、縦断面形状を四角形とする四角柱状とすることもできる。さらに、係止ブロックは、縦断面形状を五角形以上とする多角柱状とし、あるいは、縦断面形状が直線と曲線で構成される略多角形状、すなわち、平面と曲面とを組み合わせてなる柱状とすることもできる。また、縦断面形状を四角形以上とする係止ブロックは、踵側の面を傾斜面としてベースプレートから滑らかに突出させることができ、あるいは、踵側の面を傾斜面とすることなく垂直面としてベースプレートから柱状に突出する形状とすることもできる。
【００３４】
以上の係止ブロック２１は、底面形状を長方形状としており、踵側からつま先側に向かって次第に突出する形状としてベースプレート２２から滑らかに突出させて、つま先側の端面を平面状の起立面２１Ａとしている。ただ、係止ブロックは、図示しないが、底面形状を、円形、楕円形、長円形、多角形等とすることも、あるいはこれ等を組み合わせた形状とすることもできる。例えば、係止ブロックは、つま先側を中央凸の湾曲面とするＵ字状、あるいは、つま先側に向かって次第に幅を狭くする山形やホームベース形状、将棋の駒形状等とすることもできる。つま先側を湾曲面とし、あるいは、つま先側に向かって次第に幅を狭くする形状の係止ブロックは、つま先側を支持凹部にスムーズに案内できる特徴がある。これ等の形状の係止ブロックも、踵側からつま先側に向かって次第に突出する傾斜面を設けてベースプレートから滑らかに突出させて、つま先側の面を起立面とすることができ、あるいは、踵側の面を傾斜面とすることなく垂直面としてベースプレートから柱状に突出する形状とすることができる。
【００３５】
［面ファスナー５０］
図３〜図５の履物は、面ファスナー５０を介して足袋１０の足裏面１１に係合体２０を着脱自在に連結している。足袋１０と係合体２０とを連結する面ファスナー５０は、好ましくは、足袋１０の足裏面１１側をループ面５１とし、係合体２０の上面側をフック面５２とする。これにより、足袋１０をはいたユーザーが係合体２０を外した状態のままで床面を歩く状態で、足裏面１１に絨毯や異物が付着するのを防止できる。図に示す足袋１０は、足裏面１１の中央部のやや前方よりに、係合体２０の外形に沿う形状にカットされたループ面５１を固定している。この構造は、足袋１０の底地１２に固定する面ファスナー５０のループ面５１の大きさを最小限としながら、係合体２０を確実に固定できる。ただ、足裏面に設けるループ面は、底地の先端部と踵部を除く部分に設けることもできる。
【００３６】
さらに、足裏面１１に面ファスナーを設ける足袋１０は、図８に示すように、底地１２全体を面ファスナー５０のループ面５１とすることもできる。この足袋１０は、底地の足裏面に部分的にループ面を設けることなく、裏面をループ面５１とする生地を足底の形状に裁断し、底地１２として使用する。このため、底地に別工程でループ面を設ける必要がなく、製造工程を簡略化できる。また、足裏面１１全体をループ面５１とするので、底地１２の厚さを均一にして違和感をなくしながら、係合体２０に設けたフック面５２を足裏面１１の任意の位置に貼付できる特徴がある。さらに、この足袋１０は、図８の鎖線で示すように、係合体２０を貼付する位置の目安となる連結ライン５３を表示することで、簡単かつ容易に、かつ常に最適な位置に貼付できる。
【００３７】
以上の履物において、係合体２０と足袋１０との連結位置は、底面視において、係止ブロック２１の先端位置が指間１７の最深部に位置し、あるいは指間１７の最深部よりも踵側に多少後退する位置とすることができる。係止ブロック２１の先端位置が、踵側から指間１７の最深部へ近づくにしたがって、足指にかかる負荷を小さくできるが、前緒４１を足指で挟着しにくくなって下駄３０が脱げやすくなる。反対に、係止ブロック２１の先端位置が、指間１７の最深部から踵側に離れるにしたがって、下駄３０は脱げにくくなるが、足指にかかる負荷が大きくなる。したがって、係合体２０と足袋１０との連結位置は、これ等のことを考慮して最適な位置となるように決定する。
【００３８】
［下駄３０］
下駄３０は、図１ないし図４、図９、及び図１０に示すように、足袋１０を履いたユーザーの足が載置される台部３１と、この台部３１の上面側に配設された鼻緒４０とを備えている。台部３１は木製で、平面視における外形を、足の裏よりも一回り大きな略長方形状として、その上面にユーザーの足を載置できるようにしている。台部３１には、軽くて丈夫な木材、例えばキリが使用される。ただ、台部は、スギ、ヒノキ、クリ、マツ等の木材で製造することもできる。さらに、台部３１は、底面に二枚の歯３３を備えている。各歯３３は、台部３１に対して垂直な姿勢であって、左右方向に延長して設けられており、台部３１の底面の中央部において、互いに平行な姿勢で離間して固定されている。歯３３は、台部３１と同じ材質の木材が使用でき、あるいは、台部３１よりも硬い木材を使用ることができる。図に示す台部３１は、底面側の中央部を外周部よりも厚く形成して中央凸部３２を形成すると共に、この中央凸部３２に２列の溝を形成して、この溝に２枚の歯３３を挿入して固定している。
【００３９】
さらに、台部３１は、上面に支持凹部３５を形成している。この支持凹部３５は、足袋１０の足裏面１１に固定された係合体２０の係止ブロック２１が脱着自在に案内されて、足袋１０を下駄３０の定位置に配置する。台部３１は、上面の中央部であって、足袋１０を履いたユーザーの足が載置されて、足袋１０の指間１７に前緒４１が挿入される状態で、足袋１０に固定された係合体２０の係止ブロック２１を案内できる位置に支持凹部３５を設けている
【００４０】
支持凹部３５は、木製の台部３１の上面を切削して形成されている。支持凹部３５は、係合体２０の係止ブロック２１を案内できるように、係止ブロック２１に応じた形状、言い換えると、係止ブロックの外形に沿う内形に形成されている。ここで、図６と図７に示す係止ブロック２１は縦断面視を略三角形状とする形状としているので、これを案内する支持凹部３５の内形も、係止ブロック２１の外形に沿う形状であって、縦断面視を略三角形状とする形状としている。図７に示す支持凹部３５は、平面視を略長方形とする形状としており、踵側からつま先側に向かって次第に深くなる形状として、係止ブロック２１をスムーズに案内できるようにしている。この支持凹部３５は、係止ブロック２１の起立面２１Ａと対向する対向面３５Ａを垂直面とすると共に、この対向面３５Ａの下端に向かって、次第に深くなる傾斜面３５Ｂを設けている。この傾斜面３５Ｂは、前述の係止ブロック２１の傾斜面２１Ｂに沿う形状としている。さらに、図示しないが、底面形状を長方形状以外の形状とする係止ブロックを案内する支持凹部についても、その内形を係止ブロックの外形に沿う形状とする。例えば、つま先側を中央凸の湾曲面とするＵ字状の係止ブロックや、つま先側に向かって次第に幅を狭くする形状の係止ブロックを案内する支持凹部は、つま先側の形状をこれ等の係止ブロックの先端部を案内できる形状に形成する。
【００４１】
支持凹部３５を備える下駄３０は、図７に示すように、足袋１０を履いたユーザーの足が載置された台部３１をユーザーが前傾姿勢とする状態で、係止ブロック２１の先端部を支持凹部３５の内面に当接させて、ユーザーの体重や踊りの衝撃等で足袋１０にかかる荷重を係止ブロック２１と支持凹部３５とで支持する。さらに、図７に示す支持凹部３５は、係止ブロック２１が挿入された状態で、係止ブロック２１の起立面２１Ａと、起立面２１Ａに対向する対向面３５Ａとの間に、上部側を広くした隙間３６を形成している。図に示す履物は、この隙間３６を形成するために、係止ブロック２１の起立面２１Ａをアンダーカット面とすると共に、支持凹部３５の対向面３５Ａを垂直面としている。このように、起立面２１Ａをアンダーカット面として対向面３５Ａを垂直面とする構造は、図７に示すように、ユーザーが台部３１を前傾姿勢とする状態で、係止ブロック２１の突出部の先端部近傍を支持凹部３５の内面に当接させる状態で支持される。このように、係止ブロック２１の先端側、すなわち、係合体２０と足裏面１１との接合面から離れた位置で荷重を支持する構造は、係止ブロック２１の先端部が支持凹部３５の内面から受ける力（抗力）が、足裏面１１と係合体２０との接合面に対して回転モーメントとして作用するので、係合体２０が足袋１０の足裏面１１から剥がれようとする力を軽減して、足袋１０が係合体２０から外れるのを抑制できる。
【００４２】
さらに、図７に示すように、係止ブロック２１の起立面２１Ａと、起立面２１Ａに対向する対向面３５Ａとの間に、上部側を広くした隙間３６を形成する構造は、図１１に示すように、係止ブロック２１を支持凹部３５に挿入した状態で、係止ブロック２１をさらに前傾姿勢となるように傾動させることができる。すなわち、係止ブロック２１の起立面２１Ａと支持凹部３５の対向面３５Ａとの間にできる隙間３６の分だけ足先を踏み込んで踵側を持ち上げることができる。このため、ユーザーが踊りの際につま先立ちとなる動作を違和感なくスムーズに行うことが可能となる。
【００４３】
ただ、支持凹部は、必ずしも、係止ブロックの起立面と、対向面との間に、上部側を広くした隙間を形成する必要はなく、係止ブロックの起立面と支持凹部の対向面とを面接触状態で支持する構造とすることもできる。この支持凹部は、係止ブロックの起立面に沿う傾斜となるように対向面を形成する。
【００４４】
さらに、台部３１は、鼻緒４０を装着するための貫通孔３４を開口している。図に示す台部３１は、つま先側となる前部の中央部に１個、踵側となる後部の両側部に１個ずつの計３個の貫通孔３４を開口している。台部３１は、前部の貫通孔３４に鼻緒４０の前緒４１が挿通されると共に、後部の貫通孔３４に鼻緒４０の横緒４２が挿通されて、鼻緒４０が定位置に配置される。
【００４５】
鼻緒４０は、台部３１の上面側に配設される紐状体で、図９に示すように、平面視において、略逆Ｖ字状に配置されている。鼻緒４０は、つま先側において中間部が逆Ｖ字状に折曲されて、台部３１の前後に跨がって配置される横緒４２と、この横緒４２の折曲部を台部３１に連結する前緒４１とからなる。
【００４６】
横緒４２は、両端が台部３１の後部に設けた貫通孔３４に挿通されて台部３１に固定されると共に、逆Ｖ字状に折曲された中央部が前部において前緒４１を介して台部３１に固定されている。貫通孔３４に挿通される横緒４２の両端は、台部３１の底面側において先端部に抜止部４３を設けて台部３１から抜けないようにしている。図に示す横緒４２は、内部に芯線となる中心紐４２Ａを挿通しており、台部３１の両側の貫通孔３４を貫通した横緒４２の中心紐４２Ａ同士を台部３１の底面側で結束しており、この結束部４３Ａを抜止部４３としている。この構造は、中心紐４２Ａの結束状態を変更することで横緒４２の張り具合を調整できる特徴がある。ただ、横緒の両端は、各々の先端を個別に設けた抜止部で固定して台部から抜けないようにすることもできる。
【００４７】
以上の横緒４２は、図１２に示すように、中心紐４２Ａの周囲を外装材４２Ｂで被覆している。このような外装材４２Ｂには、種々の材質が使用できる。さらに、横緒４２は、足の甲部に接触する内側と、外部から視認される外側とで外装材４２Ｂの材質を変更することができる。この横緒４２は、細長い２枚の生地を両側縁で逢着して外装材４２Ｂを細長い筒状に形成して内部に中心紐を挿通することができる。横緒４２の外装材４２Ｂは、例えば、足の甲部に接触する内側の生地を布地として足の表面を保護しながら、外側に配置される生地を皮革として外観を綺麗にすることができる。
【００４８】
前緒４１は、上端が横緒４２の折曲部に連結されると共に、下端が台部３１の前部に設けた貫通孔３４に挿通されて台部３１に固定されている。図１２に示す前緒４１は、中心紐４１Ａの周囲を外装材４１Ｂで被覆してなる紐状体で、中間部でループ状に折り返すと共に、この折返し部４１Ｃを横緒４２の折曲部の周囲に沿って配置して横緒４２に連結している。さらに、前緒４１は、横緒４２に連結された折返し部４１Ｃよりも下方において、外装材４１Ｂを一体的に逢着して連結すると共に、連結された先端部を貫通孔３４に挿通している。貫通孔３４に挿通される前緒４１は、台部３１の底面側において先端部に抜止部４４を設けて台部３１から抜けないようにしている。
【００４９】
抜止部４４は、図１２に示すように、前緒４１の下端から伸びる２本の中心紐４１Ａが挿通される抜止リング４５と、この抜止リング４５の直径方向に固定された固定ロッド４６と、２本の中心紐４１Ａを固定ロッド４６の下方で結束してなる結束部４７とからなる。抜止リング４５は、その外形を貫通孔３４よりも大きくしており、中心孔４５Ａに跨がって直径方向に伸びる固定ロッド４６を固定している。前緒４１は、２本の中心紐４１Ａの先端を抜止リング４５の中心孔４５Ａに通過させて固定ロッド４６の両側から引き出すと共に、引き出された先端部を固定ロッド４６の下方で結束して結束部４７としている。ただ、前緒の抜止部は、以上の構造に特定せず、前緒が貫通孔から抜けるのを阻止できる他の全ての構造とすることができる。
【００５０】
さらに、図１２に示す下駄３０は、台部３１を貫通する前緒４１を、図の矢印Ａで示すように、台部３１の上面から離れる方向に伸縮できる構造としている。この構造を実現するために、図１２に示す下駄３０は、台部３１と抜止部４４との間に弾性体４８を配置している。図に示す弾性体４８は、コイルスプリング４８Ａで、貫通孔３４から突出する前緒４１の先端部をコイルスプリング４８Ａに挿通すると共に、先端に抜止部４４を設けて、コイルスプリング４８Ａを抜けないように前緒４１に配置している。台部３１は、貫通孔３４の開口部である底面側に凹部３２Ａを形成しており、この凹部３２Ａに弾性体４８であるコイルスプリング４８Ａの上端を配置している。
【００５１】
以上の構造は、図１２の矢印Ａで示す方向に前緒４１が引っ張られると、弾性体４８が収縮して前緒４１が台部３１の上面から離れる方向に移動する。したがって、ユーザーの動きや、鼻緒４０への負荷のかかり具合に応じて前緒４１を上下に伸縮させて、足先に作用する負荷を軽減できる特徴が実現できる。ここで、弾性体の全長や弾性係数は、前緒４１の長さや鼻緒４０に係る負荷を考慮して最適な状態となるように設計される。さらに、図に示す弾性体４８はコイルスプリング４８Ａとするが、弾性体は、ゴム状の弾性体や、板バネを使用することもできる。
【００５２】
［変形例１］
以上の履物は、係止ブロック２１の縦断面形状を三角形とし、これを支持する支持凹部３５の断面形状を係止ブロック２１の形状に沿う三角形状としている。ただ、係止ブロック２１は、図１３に示すように、縦断面形状を四角形とし、これを支持する支持凹部３５の断面形状を係止ブロックの形状に沿う四角形状とすることもできる。この係止ブロックは、つま先側に設けた起立面２１Ａをアンダーカット面とすると共に、踵側には傾斜面２１Ｂを形成しており、さらに、起立面２１Ａの下端と傾斜面２１Ｂの下端との間に台部３１の上面と略平行な水平部２１Ｃを形成している。支持凹部３５は、起立面２１Ａと対向する対向面３５Ａを垂直面とすると共に、踵側には傾斜面２１Ｂに沿う形状の傾斜面３５Ｂを設けており、さらに、対向面３５Ａの下端と傾斜面３５Ｂの下端との間に水平面２１Ｃに対向する底面３５Ｃを形成している。この履物も、支持凹部３５の傾斜面３５Ｂに沿って係止ブロック２１を摺動させて、係止ブロック２１を支持凹部３５にスムーズに案内できる。
【００５３】
［変形例２］
さらに、履物は、図１４に示すように、係止ブロック２１を支持凹部３５に対して抜け難くする構造とすることもできる。図に示す係止ブロック２１は、つま先側に起立面２１Ａを設け、踵側に傾斜面２１Ｂを設けると共に、起立面２１Ａの下端から踵側に向かって、台部３１の上面と略平行な水平面２１Ｃを形成し、さらに、水平面２１Ｃの後端と傾斜面２１Ｂの下端との間に略垂直姿勢の立上面２１Ｄを設けている。支持凹部３５は、つま先側に起立面２１Ａと対向する対向面３５Ａを設けて、踵側には傾斜面２１Ｂに沿う形状の傾斜面３５Ｂを設けると共に、底部には水平面２１Ｃに対向する底面３５Ｃを形成し、さらに、底面３５Ｃの後端と傾斜面３５Ｂの下端との間に、立上面２１Ｄに対向する当接面３５Ｄを形成している。
【００５４】
この履物は、支持凹部３５に係止ブロック２１を嵌入した状態で、係止ブロック２１が踵側に移動すると、係止ブロック２１の立上面２１Ｄが支持凹部３５の当接面３５Ｄに当たって係止ブロック２１の移動が阻止される。したがって、使用中において係止ブロックが支持凹部から不意に外れるのを有効に防止できる。
【００５５】
また、図１４に示す履物は、係止ブロック２１の起立面２１Ａをアンダーカット面とすると共に、これと対向する支持凹部３５の対向面３５Ａを垂直面としており、起立面２１Ａと対向面３５Ａとの間には、上部側を広くした隙間３６を形成している。この係止ブロック２１は、図１４の鎖線で示すように、さらに前傾姿勢となるように傾動させることができるが、この場合においても、傾動する係止ブロック２１が踵側に移動しようとすると、後方コーナー部２３が支持凹部３５の当接面３５Ｄに当たって係止ブロック２１の移動が阻止される。したがって、この場合においても、係止ブロック２１が支持凹部３５から不意に外れるのを有効に防止できる。
【００５６】
以上のように、本発明の履物は、足袋１０と係合体２０と下駄３０とで構成することができる。さらに、本発明は、前述の足袋１０と係合体２０とで足袋ユニットを構成し、この足袋ユニットを前述の下駄３０と組み合わせて履物を構成することができる。さらにまた、本発明は、前述の下駄３０と係合体２０とで下駄ユニットを構成し、この下駄ユニットを前述の足袋１０と組み合わせて履物を構成することができる。この下駄ユニットは、係合体２０の上面に面ファスナー５０のフック面５２を備え、足袋１０の足裏面１１に設けた面ファスナー５０のループ面５１に対して着脱自在に貼付される構造とする。
【産業上の利用可能性】
【００５７】
本発明の履物は、阿波踊りの女踊り用の履物として、ユーザーの苦痛や負担を軽減しながら好適に使用できる。
【符号の説明】
【００５８】
１０…足袋
１１…足裏面
１２…底地
１２Ａ…第１先端部
１２Ｂ…第２先端部
１３…外装部
１３Ａ…内甲部
１３Ｂ…外甲部
１４…連結具
１５…第一収納部
１６…第二収納部
１７…指間
１８…開放部
２０…係合体
２１…係止ブロック
２１Ａ…起立面
２１Ｂ…傾斜面
２１Ｃ…水平面
２１Ｄ…立上面
２２…ベースプレート
２３…後方コーナー部
３０…下駄
３１…台部
３２…中央凸部
３２Ａ…凹部
３３…歯
３４…貫通孔
３５…支持凹部
３５Ａ…対向面
３５Ｂ…傾斜面
３５Ｃ…底面
３５Ｄ…当接面
３６…隙間
４０…鼻緒
４１…前緒
４１Ａ…中心紐
４１Ｂ…外装材
４１Ｃ…折返し部
４２…横緒
４２Ａ…中心紐
４２Ｂ…外装材
４３…抜止部
４３Ａ…結束部
４４…抜止部
４５…抜止リング
４５Ａ…中心孔
４６…固定ロッド
４７…結束部
４８…弾性体
４８Ａ…コイルスプリング
５０…面ファスナー
５１…ループ面
５２…フック面
５３…連結ライン
【図１】
2016036546.tif 000003
【図２】
2016036546.tif 000004
【図３】
2016036546.tif 000005
【図４】
2016036546.tif 000006
【図５】
2016036546.tif 000007
【図６】
2016036546.tif 000008
【図７】
2016036546.tif 000009
【図８】
2016036546.tif 000010
【図９】
2016036546.tif 000011
【図１０】
2016036546.tif 000012
【図１１】
2016036546.tif 000013
【図１２】
2016036546.tif 000014
【図１３】
2016036546.tif 000015
【図１４】
2016036546.tif 000016